(57)【要約】【課題】規格・剤形の異なる薬剤や名称等が類似する薬剤について、薬剤師等による薬剤の取り間違いを抑制できる、薬剤情報表示体を提供する。【解決手段】ホルダー２とホルダー係止部３とを備え、前記ホルダー２は、棚板Ｂの直下に収納された薬剤に関する情報を表示する表示部材４を保持可能であり、前記ホルダー係止部３は、前記棚板Ｂの底部に対して係合する棚板係合部３１と、前記棚板係合部３１に接続され、前記ホルダー２を係止する係止担当部３３と、を備える、薬剤情報表示体である。【選択図】図５
0003202362.tif 000002
【実用新案登録請求の範囲】
【請求項１】
上下方向に位置する複数の棚板の間に薬剤を収納できる薬剤収納棚に取り付けて用いる薬剤情報表示体であり、
ホルダーとホルダー係止部とを備え、
前記ホルダーは、棚板の直下に収納された薬剤に関する情報を表示する表示部材を保持可能であり、
前記ホルダー係止部は、
前記棚板の底部に対して係合する棚板係合部と、
前記棚板係合部に接続され、前記ホルダーを係止する係止担当部と、
を備える、薬剤情報表示体。
【請求項２】
上下方向に位置する複数の棚板の間に薬剤ケースを引き出し可能に配置できる薬剤収納棚に取り付けて用いる薬剤情報表示体であり、
ホルダーとホルダー係止部とを備え、
前記ホルダーは、棚板の直下に位置する薬剤ケースに収納された薬剤に関する情報を表示する表示部材を保持可能であり、
前記ホルダー係止部は、
前記棚板の底部に対して係合する棚板係合部と、
前記棚板係合部に接続され、前記ホルダーを係止する係止担当部と、
を備える、薬剤情報表示体。
【請求項３】
前記薬剤ケースは、薬剤が収納される薬剤収納領域を有し、前記薬剤収納領域の上方が開口しており、当該薬剤ケースの直下に位置する棚板に保持された保持状態と、前記保持状態から前方に引き出された引き出し状態との間で移動可能であり、
前記係止担当部は、前記ホルダーを前後方向に揺動可能に係止し、前記保持状態では前記薬剤ケースの前記薬剤収納領域の前方に位置し、前記引き出し状態では前記薬剤ケースにおける前記薬剤収納領域の上方に位置する、請求項２に記載の薬剤情報表示体。
【請求項４】
前記係止担当部は、前記ホルダーを吊り下げにより係止する、請求項３に記載の薬剤情報表示体。
【請求項５】
前記係止担当部は、前後に位置する前端部と後端部とを有し、前記前端部と前記後端部との間に下方に突出した略Ｕ字状部分を有し、前記後端部は前記棚板係合部に接続されており、
前記ホルダーは、前記表示部材を保持する位置よりも上方で、前後方向に貫通する孔部を有し、当該孔部を前記略Ｕ字状部分が通ることで吊り下げられる、請求項４に記載の薬剤情報表示体。
【請求項６】
前記係止担当部は、前記前端部に脱落防止部を有し、
前記脱落防止部は、幅方向の中央部が幅方向の少なくとも一端部よりも上方に位置する、請求項５に記載の薬剤情報表示体。
【請求項７】
前記ホルダーは平板状であり、
前記ホルダー係止部の前記棚板への装着状態において、前記脱落防止部の、幅方向の中央部における前記棚板との距離は、前記ホルダーの前記孔部周りの厚み寸法よりも大きく、かつ、前記ホルダーの上端縁から前記孔部までの距離よりも小さい、請求項６に記載の薬剤情報表示体。
【請求項８】
前記棚板における前端部は、板状体が変曲して前方、下方、後方、上方の順に延び、前記前方に延びる部分である前方延設部と前記上方に延びる部分である上方延設部との間には隙間が存在する折り返し部を有し、
前記ホルダー係止部の前記棚板への装着状態において、前記棚板係合部は、
前記前方延設部に対して当接する当接部と、
前記当接部に連なり、前記折り返し部に囲まれた前端領域内に位置し、自己の発する弾性力により前記折り返し部に対して当接する湾曲部と、
前記上方延設部に対して前記前端領域内から係合する係合爪と、を有する、請求項１〜７のいずれかに記載の薬剤情報表示体。
【請求項９】
前記ホルダー係止部は、前記当接部の後端において下方に延びるつまみ部を有する、請求項８に記載の薬剤情報表示体。
【請求項１０】
上下方向に位置する複数の棚板の間に薬剤を収納できる薬剤収納棚に取り付け、棚板の直下に収納された薬剤に関する情報を表示する表示部材を保持できる薬剤情報表示用フックであり、
前記棚板の底部に対して係合する棚板係合部と、
前記棚板係合部に接続され、前記表示部材を保持する表示部材保持部と、
を備える、薬剤情報表示用フック。
【請求項１１】
上下方向に位置する複数の棚板の間に薬剤ケースを引き出し可能に配置できる薬剤収納棚に取り付け、棚板の直下に位置する薬剤ケースに収納された薬剤に関する情報を表示する表示部材を保持できる薬剤情報表示用フックであり、
前記棚板の底部に対して係合する棚板係合部と、
前記棚板係合部に接続され、前記表示部材を保持する表示部材保持部と、
を備える、薬剤情報表示用フック。
【請求項１２】
前記薬剤ケースは、薬剤が収納される薬剤収納領域を有し、前記薬剤収納領域の上方が開口しており、当該薬剤ケースの直下に位置する棚板に保持された保持状態と、前記保持状態から前方に引き出された引き出し状態との間で移動可能であり、
前記表示部材保持部は、前記表示部材を前後方向に揺動可能に保持し、前記保持状態では前記薬剤ケースの前記薬剤収納領域の前方に位置し、前記引き出し状態では前記薬剤ケースにおける前記薬剤収納領域の上方に位置する、請求項１１に記載の薬剤情報表示用フック。
【請求項１３】
前記表示部材を吊り下げにより保持する、請求項１２に記載の薬剤情報表示用フック。
【請求項１４】
前記表示部材保持部は、前後に位置する前端部と後端部とを有し、前記前端部と前記後端部との間に下方に突出した略Ｕ字状部分を有し、前記後端部は前記棚板係合部に接続されており、
前記略Ｕ字状部分にて前記表示部材を吊り下げにより保持する、請求項１３に記載の薬剤情報表示用フック。
【請求項１５】
前記表示部材保持部は、前記前端部に脱落防止部を有し、
前記脱落防止部は、幅方向の中央部が幅方向の少なくとも一端部よりも上方に位置する、請求項１４に記載の薬剤情報表示用フック。
【請求項１６】
前記表示部材は平板状のホルダーに保持され、
前記ホルダーは、前記表示部材を保持する位置よりも上方で、前後方向に貫通する孔部を有し、当該孔部を前記表示部材保持部が通ることで吊り下げられ、
当該薬剤情報表示用フックの前記棚板への装着状態において、前記脱落防止部の、幅方向の中央部における前記棚板との距離は、前記ホルダーの前記孔部周りの厚み寸法よりも大きく、かつ、前記ホルダーの上端縁から前記孔部までの距離よりも小さい、請求項１５に記載の薬剤情報表示用フック。
【請求項１７】
前記棚板における前端部は、板状体が変曲して前方、下方、後方、上方の順に延び、前記前方に延びる部分である前方延設部と前記上方に延びる部分である上方延設部との間には隙間が存在する折り返し部を有し、
当該薬剤情報表示用フックの前記棚板への装着状態において、前記棚板係合部は、
前記前方延設部に対して当接する当接部と、
前記当接部に連なり、前記折り返し部に囲まれた前端領域内に位置し、自己の発する弾性力により前記折り返し部に対して当接する湾曲部と、
前記上方延設部に対して前記前端領域内から係合する係合爪と、を有する、請求項１０〜１６のいずれかに記載の薬剤情報表示用フック。
【請求項１８】
前記当接部の後端において下方に延びるつまみ部を有する、請求項１７に記載の薬剤情報表示用フック。
【請求項１９】
上下方向に位置する複数の棚板の間に薬剤を収納できる薬剤収納棚に備えられ、
棚板と、
薬剤に関する情報を表示する表示部材を保持できる薬剤情報表示用フックと、を備え、
前記薬剤情報表示用フックは、
前記棚板の底部に対して係合する棚板係合部と、
前記棚板係合部に接続され、前記表示部材を保持する表示部材保持部と、
を備える、薬剤収納棚の薬剤情報表示機構。
【請求項２０】
上下方向に位置する複数の棚板の間に薬剤ケースを引き出し可能に配置できる薬剤収納棚に備えられ、
薬剤ケースの直上に位置する棚板と、
前記薬剤ケースに収納された薬剤に関する情報を表示する表示部材を保持できる薬剤情報表示用フックと、を備え、
前記薬剤情報表示用フックは、
前記棚板の底部に対して係合する棚板係合部と、
前記棚板係合部に接続され、前記表示部材を保持する表示部材保持部と、
を備える、薬剤収納棚の薬剤情報表示機構。
【請求項２１】
前記棚板における前端部は、板状体が変曲して前方、下方、後方、上方の順に延び、前記前方に延びる部分である前方延設部と前記上方に延びる部分である上方延設部との間には隙間が存在する折り返し部を有し、
前記表示部材は平板状のホルダーに保持され、
前記棚板係合部は、
前記前方延設部に対して当接する当接部と、
前記当接部に連なり、前記折り返し部に囲まれた前端領域内に位置し、自己の発する弾性力により前記折り返し部に対して当接する湾曲部と、
前記上方延設部に対して前記前端領域内から係合する係合爪と、を有する、請求項１９または２０に記載の、薬剤収納棚の薬剤情報表示機構。
【考案の詳細な説明】
【技術分野】
【０００１】
本考案は、上下方向に位置する複数の棚板を備える薬剤収納棚に取り付けて用いる、薬剤情報表示体、薬剤情報表示用フック、薬剤収納棚の薬剤情報表示機構に関するものである。
【背景技術】
【０００２】
調剤薬局等では、複数種類の薬剤を収納するために薬剤収納棚が用いられている。この薬剤収納棚は、上下方向に位置する複数の棚板を備える。複数の棚板の間には薬剤ケースを引き出し可能に配置できるよう構成されることもある（図１（Ａ）（Ｂ）参照）。通常、薬剤ケースには、ＰＴＰシート等により包装された薬剤包装体の状態で薬剤が種類ごとに収納されている。
【０００３】
ここで薬剤には、同一名称の薬剤について規格（例えば、単位個数・重量・体積（規格単位）当たりの有効成分の含有量など）が複数存在するものがある。例えば、同一名称の錠剤でありながら、規格が１０mgのものと２０mgのものとがあり、この場合では１錠当たりの有効成分の含有量が異なっている。このような薬剤は、薬剤師等が薬剤収納棚から取り出す際に間違う可能性がある。また、同一名称の薬剤について剤形が異なる薬剤や、名称や略号が類似する薬剤についても、同じく間違う可能性がある。
【０００４】
このような場合の薬剤の取り間違いを抑制することを目的として、特許文献１には、薬剤ケースに「規格注意」と注意書きを表示することが記載されている。
【０００５】
しかし特許文献１に記載の構成では、薬剤を取り出そうとして、薬剤師等が一旦薬剤収納棚から薬剤ケースを引き出してしまえば、薬剤師等の視線から外れる等して、薬剤ケースに表示された注意書きを認識し難くなるため、薬剤の取り間違いを抑制することが難しいとの問題があった。
【先行技術文献】
【特許文献】
【０００６】
【特許文献１】特許第５５０８２１３号公報（００２５段落、図５）
【考案の概要】
【考案が解決しようとする課題】
【０００７】
そこで本考案は、規格・剤形の異なる薬剤や、同一名称で名称等が類似する薬剤について、薬剤師等による薬剤の取り間違いを抑制できる、薬剤情報表示体、薬剤情報表示用フック、薬剤収納棚の薬剤情報表示機構を提供することを課題とする。
【課題を解決するための手段】
【０００８】
本考案の構成の一例に係る薬剤情報表示体は、上下方向に位置する複数の棚板の間に薬剤を収納できる薬剤収納棚に取り付けて用いる薬剤情報表示体であり、ホルダーとホルダー係止部とを備え、前記ホルダーは、棚板の直下に収納された薬剤に関する情報を表示する表示部材を保持可能であり、前記ホルダー係止部は、前記棚板の底部に対して係合する棚板係合部と、前記棚板係合部に接続され、前記ホルダーを係止する係止担当部と、
を備える。
【０００９】
前記構成の一例によると、棚板の直下に収納された薬剤に関する情報を表示する表示部材を保持するホルダーが、棚板に係合したホルダー係止部により係止されることで、前記薬剤に関する情報を薬剤師等に対し、確実に報知できる。
【００１０】
また、本考案の構成の一例に係る薬剤情報表示体は、上下方向に位置する複数の棚板の間に薬剤ケースを引き出し可能に配置できる薬剤収納棚に取り付けて用いる薬剤情報表示体であり、ホルダーとホルダー係止部とを備え、前記ホルダーは、棚板の直下に位置する薬剤ケースに収納された薬剤に関する情報を表示する表示部材を保持可能であり、前記ホルダー係止部は、前記棚板の底部に対して係合する棚板係合部と、前記棚板係合部に接続され、前記ホルダーを係止する係止担当部と、を備える。
【００１１】
前記構成の一例によると、棚板の直下に位置する薬剤ケースに収納された薬剤に関する情報を表示する表示部材を保持するホルダーが、棚板に係合したホルダー係止部により係止されることで、前記薬剤に関する情報を薬剤師等に対し、確実に報知できる。
【００１２】
そして、前記薬剤ケースは、前記薬剤ケースは、薬剤が収納される薬剤収納領域を有し、前記薬剤収納領域の上方が開口しており、当該薬剤ケースの直下に位置する棚板に保持された保持状態と、前記保持状態から前方に引き出された引き出し状態との間で移動可能であり、前記係止担当部は、前記ホルダーを前後方向に揺動可能に係止し、前記保持状態では前記薬剤ケースの前記薬剤収納領域の前方に位置し、前記引き出し状態では前記薬剤ケースにおける前記薬剤収納領域の上方に位置するものとできる。
【００１３】
前記構成の一例によると、係止担当部はホルダーを前後方向に揺動可能に係止するため、薬剤ケースの前後移動をホルダーが阻害しにくい。
【００１４】
そして、前記係止担当部は、前記ホルダーを吊り下げにより係止するものとできる。
【００１５】
前記構成の一例によると、吊り下げるだけで、係止担当部がホルダーを前後方向に揺動可能に係止できるので、簡易な構成とできる。
【００１６】
そして、前記係止担当部は、前後に位置する前端部と後端部とを有し、前記前端部と前記後端部との間に下方に突出した略Ｕ字状部分を有し、前記後端部は前記棚板係合部に接続されており、前記ホルダーは、前記表示部材を保持する位置よりも上方で、前後方向に貫通する孔部を有し、当該孔部を前記略Ｕ字状部分が通ることで吊り下げられるものとできる。
【００１７】
前記構成の一例によると、係止担当部の略Ｕ字状部分と、ホルダーの孔部の組み合わせにより、係止担当部がホルダーを吊り下げできるので、簡易な構成とできる。
【００１８】
そして、前記係止担当部は、前記前端部に脱落防止部を有し、前記脱落防止部は、幅方向の中央部が幅方向の少なくとも一端部よりも上方に位置するものとできる。
【００１９】
前記構成の一例によると、脱落防止部は、前記棚板への装着状態において、棚板に対する隙間が幅方向の少なくとも一端部で広くなる。このため、ホルダーを係止担当部に取り付けやすい。しかも脱落防止部は、棚板に対する隙間が幅方向の中央部において狭い形状であることから、隙間を通ってホルダーが係止担当部から脱落することを抑制できる。
【００２０】
そして、前記ホルダーは平板状であり、前記ホルダー係止部の前記棚板への装着状態において、前記脱落防止部の、幅方向の中央部における前記棚板との距離は、前記ホルダーの前記孔部周りの厚み寸法よりも大きく、かつ、前記ホルダーの上端縁から前記孔部までの距離よりも小さいものとできる。
【００２１】
前記構成の一例によると、係止担当部に対して取り付けやすく脱落しにくいホルダーを容易に形成できる。
【００２２】
そして、前記棚板における前端部は、板状体が変曲して前方、下方、後方、上方の順に延び、前記前方に延びる部分である前方延設部と前記上方に延びる部分である上方延設部との間には隙間が存在する折り返し部を有し、前記ホルダー係止部の前記棚板への装着状態において、前記棚板係合部は、前記前方延設部に対して当接する当接部と、前記当接部に連なり、前記折り返し部に囲まれた前端領域内に位置し、自己の発する弾性力により前記折り返し部に対して当接する湾曲部と、前記上方延設部に対して前記前端領域内から係合する係合爪と、を有するものとできる。
【００２３】
前記構成の一例によると、当接部、湾曲部、係合爪を有する棚板係合部により、棚板に対してホルダー係止部を確実に係合できる。
【００２４】
そして、前記ホルダー係止部は、前記当接部の後端において下方に延びるつまみ部を有するものとできる。
【００２５】
前記構成の一例によると、つまみ部を指先でつまむことにより、棚板に対してホルダー係止部を簡単に着脱できる。
【００２６】
また、本考案の構成の一例に係る薬剤情報表示用フックは、上下方向に位置する複数の棚板の間に薬剤を収納できる薬剤収納棚に取り付け、棚板の直下に収納された薬剤に関する情報を表示する表示部材を保持できる薬剤情報表示用フックであり、前記棚板の底部に対して係合する棚板係合部と、前記棚板係合部に接続され、前記表示部材を保持する表示部材保持部と、を備える。
【００２７】
前記構成の一例によると、棚板の直下に収納された薬剤に関する情報を表示する表示部材を表示部材保持部が保持することで、前記薬剤に関する情報を薬剤師等に対し、確実に報知できる。
【００２８】
また、本考案の構成の一例に係る薬剤情報表示用フックは、上下方向に位置する複数の棚板の間に薬剤ケースを引き出し可能に配置できる薬剤収納棚に取り付け、棚板の直下に位置する薬剤ケースに収納された薬剤に関する情報を表示する表示部材を保持できる薬剤情報表示用フックであり、前記棚板の底部に対して係合する棚板係合部と、前記棚板係合部に接続され、前記表示部材を保持する表示部材保持部と、を備える。
【００２９】
前記構成の一例によると、棚板の直下に位置する薬剤ケースに収納された薬剤に関する情報を表示する表示部材を表示部材保持部が保持することで、前記薬剤に関する情報を薬剤師等に対し、確実に報知できる。
【００３０】
そして、前記薬剤ケースは、薬剤が収納される薬剤収納領域を有し、前記薬剤収納領域の上方が開口しており、当該薬剤ケースの直下に位置する棚板に保持された保持状態と、前記保持状態から前方に引き出された引き出し状態との間で移動可能であり、前記表示部材保持部は、前記表示部材を前後方向に揺動可能に保持し、前記保持状態では前記薬剤ケースの前記薬剤収納領域の前方に位置し、前記引き出し状態では前記薬剤ケースにおける前記薬剤収納領域の上方に位置するものとできる。
【００３１】
前記構成の一例によると、表示部材保持部は表示部材を前後方向に揺動可能に保持するため、薬剤ケースの前後移動をホルダーが阻害しにくい。
【００３２】
そして、表示部材を吊り下げにより保持するものとできる。
【００３３】
前記構成の一例によると、吊り下げるだけで、表示部材保持部がホルダーを前後方向に揺動可能に保持できるので、簡易な構成とできる。
【００３４】
そして、前記表示部材保持部は、前後に位置する前端部と後端部とを有し、前記前端部と前記後端部との間に下方に突出した略Ｕ字状部分を有し、前記後端部は前記棚板係合部に接続されており、前記略Ｕ字状部分にて前記表示部材を吊り下げにより保持するものとできる。
【００３５】
前記構成の一例によると、表示部材保持部の略Ｕ字状部分により、表示部材保持部が表示部材を吊り下げにより保持できるので、簡易な構成とできる。
【００３６】
そして、前記表示部材保持部は、前記前端部に脱落防止部を有し、前記脱落防止部は、幅方向の中央部が幅方向の少なくとも一端部よりも上方に位置するものとできる。
【００３７】
前記構成の一例によると、脱落防止部は、前記棚板への装着状態において、棚板に対する隙間が幅方向の少なくとも一端部で広くなる。このため、表示部材を保持しやすい。しかも脱落防止部は、棚板に対する隙間が幅方向の中央部において狭い形状であることから、隙間を通って表示部材が表示部材保持部から脱落することを抑制できる。
【００３８】
そして、前記表示部材は平板状のホルダーに保持され、前記ホルダーは、前記表示部材を保持する位置よりも上方で、前後方向に貫通する孔部を有し、当該孔部を前記表示部材保持部が通ることで吊り下げられ、当該薬剤情報表示用フックの前記棚板への装着状態において、前記脱落防止部の、幅方向の中央部における前記棚板との距離は、前記ホルダーの前記孔部周りの厚み寸法よりも大きく、かつ、前記ホルダーの上端縁から前記孔部までの距離よりも小さいものとできる。
【００３９】
前記構成の一例によると、表示部材保持部に対して取り付けやすく脱落しにくいホルダーを容易に形成できる。
【００４０】
そして、前記棚板における前端部は、板状体が変曲して前方、下方、後方、上方の順に延び、前記前方に延びる部分である前方延設部と前記上方に延びる部分である上方延設部との間には隙間が存在する折り返し部を有し、当該薬剤情報表示用フックの前記棚板への装着状態において、前記棚板係合部は、前記前方延設部に対して当接する当接部と、前記当接部に連なり、前記折り返し部に囲まれた前端領域内に位置し、自己の発する弾性力により前記折り返し部に対して当接する湾曲部と、前記上方延設部に対して前記前端領域内から係合する係合爪と、を有するものとできる。
【００４１】
前記構成の一例によると、当接部、湾曲部、係合爪を有する棚板係合部により、棚板に対して薬剤情報表示用フックを確実に係合できる。
【００４２】
そして、前記当接部の後端において下方に延びるつまみ部を有するものとできる。
【００４３】
前記構成の一例によると、つまみ部を指先でつまむことにより、棚板に対して薬剤情報表示用フックを簡単に着脱できる。
【００４４】
また、本考案の構成の一例に係る薬剤情報表示機構は、上下方向に位置する複数の棚板の間に薬剤を収納できる薬剤収納棚に備えられ、棚板と、薬剤に関する情報を表示する表示部材を保持できる薬剤情報表示用フックと、を備え、前記薬剤情報表示用フックは、
前記棚板の底部に対して係合する棚板係合部と、前記棚板係合部に接続され、前記表示部材を保持する表示部材保持部と、を備える。
【００４５】
前記構成の一例によると、棚板の直下に収納された薬剤に関する情報を表示する表示部材を表示部材保持部が保持することで、前記薬剤に関する情報を薬剤師等に対し、確実に報知できる。
【００４６】
また、本考案の構成の一例に係る薬剤情報表示機構は、上下方向に位置する複数の棚板の間に薬剤ケースを引き出し可能に配置できる薬剤収納棚に備えられ、薬剤ケースの直上に位置する棚板と、前記薬剤ケースに収納された薬剤に関する情報を表示する表示部材を保持できる薬剤情報表示用フックと、を備え、前記薬剤情報表示用フックは、前記棚板の底部に対して係合する棚板係合部と、前記棚板係合部に接続され、前記表示部材を保持する表示部材保持部と、を備える。
【００４７】
前記構成の一例によると、棚板の直下に位置する薬剤ケースに収納された薬剤に関する情報を表示する表示部材を表示部材保持部が保持することで、前記薬剤に関する情報を薬剤師等に対し、確実に報知できる。
【００４８】
そして、前記棚板における前端部は、板状体が変曲して前方、下方、後方、上方の順に延び、前記前方に延びる部分である前方延設部と前記上方に延びる部分である上方延設部との間には隙間が存在する折り返し部を有し、前記表示部材は平板状のホルダーに保持され、前記棚板係合部は、前記前方延設部に対して当接する当接部と、前記当接部に連なり、前記折り返し部に囲まれた前端領域内に位置し、自己の発する弾性力により前記折り返し部に対して当接する湾曲部と、前記上方延設部に対して前記前端領域内から係合する係合爪と、を有するものとできる。
【００４９】
前記構成の一例によると、当接部、湾曲部、係合爪を有する棚板係合部により、棚板に対して薬剤情報表示用フックを確実に係合できる。
【考案の効果】
【００５０】
本考案は、前記構成の一例によると、ホルダーがホルダー係止部により係止されることで、棚板の直下に位置する薬剤ケースに収納された薬剤に関する情報を薬剤師等に対し、確実に報知できる。このため、規格・剤形の異なる薬剤や名称等が類似する薬剤について、薬剤師等による薬剤の取り間違いを抑制できる。
【図面の簡単な説明】
【００５１】
【図１】本考案の一実施形態に係る薬剤情報表示体の取り付け対象である薬剤収納棚（薬剤収納棚ユニット）を示し、（Ａ）は正面図、（Ｂ）は右側面図である。
【図２】同薬剤情報表示体のうちホルダー係止部（薬剤情報表示用フック）の棚板への取り付け前における単体の状態を示す右側面図である。
【図３】同薬剤情報表示体のうちホルダー係止部（薬剤情報表示用フック）の棚板への取り付け状態を示し、（Ａ）は右側面図、（Ｂ）は正面図である。
【図４】（Ａ）〜（Ｃ）とも、同薬剤情報表示体のうち表示部材を保持した状態のホルダーを示す正面図である。
【図５】同薬剤情報表示体が棚板に係合された状態を示す正面側の斜視図である。
【図６】同薬剤情報表示体が棚板に係合された状態を示す背面側の斜視図である。
【図７】同薬剤情報表示体と薬剤ケースとの位置関係を示す縦断面図であり、（Ａ）は薬剤ケースの保持状態を示し、（Ｂ）は薬剤ケースが引き出されつつある状態を示す。
【考案を実施するための形態】
【００５２】
次に、本考案につき、一実施形態を取り上げて説明を行う。以下における方向の表現は、図１（Ａ）に示した状態における方向に対応しており、図１（Ｂ）における左方を前方（または正面方向）とし、同右方を後方（または背面方向）とする。
【００５３】
本実施形態の薬剤情報表示体１は、薬剤収納棚Ａに取り付けて用いられる。薬剤収納棚Ａは図１（Ａ）（Ｂ）に示す薬剤収納棚ユニットＡ’における上部領域に位置しており、複数段の棚板Ｂ…Ｂ上に複数の薬剤ケースＣを前方へと引き出し可能に配置できるものである。なお本説明では、薬剤収納棚Ａにおける最上段に位置する天板、及び、最下段に位置する底板も棚板Ｂとして扱う。
【００５４】
薬剤ケースＣは、上方が開口しており、当該薬剤ケースＣの直下に位置する、棚板Ｂ（当該薬剤ケースＣを下方から支持する棚板Ｂ）に保持された保持状態（図７（Ａ）に示す状態を参照、ただし図７（Ａ）では薬剤ケースＣ直下の棚板Ｂを示していない）と、前記保持状態から前方に引き出された引き出し状態（薬剤ケースＣが引き出されつつある状態を図７（Ｂ）に示す）との間で前後方向に移動可能である。本実施形態の薬剤収納棚Ａには、上下方向に８段、左右方向に９列の薬剤ケースＣ…Ｃを配置できる。個々の薬剤ケースＣには通常、ＰＴＰシート等により包装された薬剤包装体の状態で薬剤が収納されている。なお、薬剤収納棚ユニットＡ’における下部領域に位置する引き出しＤには、調剤に関連する消耗品等、種々の物品を収納できる。また、薬剤収納棚Ａの下方には作業台Ｅが設けられており、例えば薬剤師等が調剤に関係する種々の作業をする際に用いられる。
【００５５】
棚板Ｂにおける前端部は、図３（Ａ）に示すように、板状体が変曲して前方、下方、後方、上方の順に延びた状態の折り返し部Ｂ１を有している。前記前方に延びる部分である前方延設部Ｂ１１と、前記上方に延びる部分である上方延設部Ｂ１２との間には隙間Ｂ３が存在する。棚板Ｂにおける前端部には、折り返し部Ｂ１に囲まれた前端領域Ｂ２が形成されている。後述のように、この前端領域Ｂ２に薬剤情報表示体１のうちホルダー係止部３が取り付けられる。棚板Ｂとホルダー係止部（薬剤情報表示用フック）３とにより、薬剤収納棚の薬剤情報表示機構が構成される。
【００５６】
本実施形態の薬剤情報表示体１は、ホルダー２とホルダー係止部（薬剤情報表示用フック）３とを備える。ホルダー２は、棚板Ｂの直下に位置する薬剤ケースＣに収納された薬剤に関する情報を表示する表示部材４を保持可能である。薬剤情報表示体１は、情報を表示する対象の薬剤ケースＣを下方から支持する棚板Ｂにではなく、その一段上の棚板Ｂに取り付けられる。
【００５７】
表示部材４は、例えば図４（Ａ）〜（Ｃ）に示すものであり、紙や合成樹脂シートの表面に薬剤の情報を印刷等により表示したものである。図４（Ａ）に示す表示部材４は、１錠当たりの有効成分の含有量が３０mgである薬剤（錠剤）の情報を表示し、図４（Ｂ）に示す表示部材４は、図４（Ａ）の錠剤と同一名称の錠剤で１錠当たりの有効成分の含有量が１５mgである薬剤（錠剤）の情報を表示している。図４（Ａ）（Ｂ）の表示は、注意喚起する「規格注意」との表示、薬剤名（具体名は伏せて図示した）の表示、同一名称の錠剤で１錠当たりの有効成分の含有量である規格が複数（図示の例では３０mgのものと１５mgのもの）存在することを意味する表示、注意喚起のため、規格を大書した表示からなる。一方、図４（Ｃ）に示す表示部材４は、「規格注意」との表示と規格の数字だけを表示している。
【００５８】
このように、薬剤に関する情報として、例えば、薬剤名、規格、注意喚起表示、注意すべき類似薬（例えば薬剤名が類似するものや略号が類似するもの）が存在する旨を表示できる。表示部材４にはその他種々の情報を表示できる。注意喚起表示として、図示した「規格注意」のほか、同一名称の薬剤について剤形が複数存在する薬剤には「剤形注意」と表示してもよい。また、注意すべき類似薬が存在する旨の表示として「名称類似」と表示するようにしてもよい。また、表示部材４の表示態様に関しては、ユーザーの使い勝手に応じ、色彩、字体、レイアウト等を任意に選択して種々に表示できる。
【００５９】
本実施形態のホルダー２は、図４（Ａ）〜（Ｃ）に示すように、例えば少なくとも前部が透明な合成樹脂製で、表示部材４を保持するポケット部２１を有している。このホルダー２は平板状で、表示部材４を保持する位置よりも上方で、前後方向に貫通する孔部２２を有しており、この孔部２２によりホルダー係止部３に吊り下げられる。本実施形態の孔部２２は、図示のように左右方向に長い長孔とされている。
【００６０】
ホルダー係止部３は、例えば硬質合成樹脂等から一体形成され、指先の押圧により変形可能な程度の弾性を有する材質からなっている。ホルダー係止部３は単体では、図２に示す形状（右側面視）を呈しており、棚板Ｂに取り付けられた状態では図３（Ａ）に示す形状（右側面視）及び図３（Ｂ）に示す形状（正面視）となる。本実施形態のホルダー係止部３は、棚板係合部３１、上下接続部３２、係止担当部または表示部材保持部としてのフック部３３、つまみ部３４を備える。
【００６１】
棚板係合部３１は、図３（Ａ）（Ｂ）、図５、図６に示すように棚板Ｂの底部に対して係合する部分である。本実施形態では横倒しの略Ｊ字状に係止された部分である。本実施形態の棚板係合部３１は、「Ｊ」形状の縦棒に相当する部分であり、前方へと直線状に延び、図３（Ａ）に示すように、棚板Ｂの折り返し部Ｂ１における前方延設部Ｂ１１に対して当接する当接部３１１を有する。
【００６２】
そして棚板係合部３１は、「Ｊ」形状の湾曲部分に相当する部分であり、当接部３１１に連なり、湾曲して後方に反転した形状の湾曲部３１２を有する。この湾曲部３１２は、棚板Ｂにおける前端領域Ｂ２内に位置し、自己の発する弾性力により前記折り返し部Ｂ１（具体的には上方延設部Ｂ１２）に対して当接する。前記弾性力は、単体状態では図２に示す形状であった湾曲部３１２が、棚板Ｂの折り返し部Ｂ１に囲まれるよう配置された際、図３（Ａ）に示すように上下方向において圧縮させられることで発せられる。湾曲部３１２がこのように変形するため、図２において斜め前方に延びていた上下接続部３２は、ホルダー係止部３の棚板Ｂへの装着状態において、図３（Ａ）に示すように下方に延びた状態となる。
【００６３】
更に棚板係合部３１は、湾曲部３１２における下側部分の下面から突出し、棚板Ｂの折り返し部Ｂ１における上方延設部Ｂ１２に対して前端領域Ｂ２内から係合する係合爪３１３を有する。係合爪３１３は、上下寸法につき前部よりも後部の方が大きい、側面視で直角三角形状の突起である。ホルダー係止部３の棚板Ｂへの取り付け状態で、この係合爪３１３は図３（Ａ）に示すように、上方延設部Ｂ１２における上端部前面に当接する。また、上方延設部Ｂ１２における上端部上面には湾曲部３１２（「Ｊ」形状の湾曲部分先端）が当接する。更に、上方延設部Ｂ１２における上端部後面には上下接続部３２が当接する。つまり、上方延設部Ｂ１２はホルダー係止部３の一部に挟まれる。一方、棚板Ｂの前方延設部Ｂ１１は湾曲部３１２の弾性力を受けた当接部３１１が当接する。これらにより、棚板Ｂに対し、ホルダー係止部３を前後方向不動に固定できる。このように、少なくとも当接部３１１、湾曲部３１２、係合爪３１３を有する棚板係合部３１により、棚板Ｂに対してホルダー係止部３を確実に係合できる。
【００６４】
フック部３３は、棚板係合部３１よりも下方に位置し、ホルダー２を係止する部分である。フック部３３は、前後に位置する前端部３３１と後端部３３２とを有し、前記前端部３３１と前記後端部３３２との間に下方に突出した略Ｕ字状部分３３３が存在している。後端部３３２は棚板係合部３１に接続されている。本実施形態では、棚板係合部３１とフック部３３とが上下接続部３２を介して接続されているが、これに限られず、棚板係合部３１とフック部３３とを直接接続することもできる。一方、フック部３３における前端部３３１は、ホルダー係止部３の棚板Ｂへの取り付け状態で図３（Ａ）（Ｂ）に示すように、棚板Ｂとの間に隙間Ｓを有して位置する。
【００６５】
フック部３３は、図７（Ａ）に矢印Ｘで示したように、ホルダー２を前後方向に揺動可能に係止する。具体的に、フック部３３は、ホルダー２を吊り下げにより係止する。更に具体的には、図５及び図６に示すように、ホルダー２における上部領域に位置する孔部２２をフック部３３における略Ｕ字状部分３３３が通ることでホルダー２が吊り下げられる。
【００６６】
このように、フック部３３がホルダー２を前後方向に揺動可能に係止することにより、図７（Ａ）に示す保持状態から図７（Ｂ）に示すように薬剤ケースＣを引き出していった場合、薬剤ケースＣに収納された薬剤包装体等の収納物にホルダー２が当たったとしても、ホルダー２が揺動して当該収納物をかわすことができる。つまり、フック部３３は、薬剤ケースＣの保持状態では前記薬剤ケースＣの薬剤包装体が収納される領域（薬剤収納領域）Ｃｓの前方に位置し、引き出し状態では薬剤ケースＣの薬剤包装体が収納される領域Ｃｓの上方に位置する。この構成によると、ホルダー２が揺動して当該収納物をかわすことができるため、薬剤ケースＣの前後移動をホルダー２が阻害しにくい。また、吊り下げるだけで、フック部３３がホルダー２を前後方向に揺動可能に係止できるので、薬剤情報表示体１を簡易な構成とできる。更に、ホルダー２に孔部２２を形成するだけで、フック部３３がホルダー２を吊り下げできるので、吊り下げ構造の薬剤情報表示体１をより簡易な構成とできる。また、フック部３３がホルダー２を前後方向に揺動可能に係止することにより、薬剤ケースＣを保持状態から引き出していった場合に薬剤ケースＣや薬剤師等の手指にホルダー２が当たったとしても、ホルダー２が揺動して薬剤ケースＣや薬剤師等の手指をかわすことができる。
【００６７】
フック部３３は、前端部３３１に脱落防止部３３４が形成されている。この脱落防止部３３４は、幅方向（左右方向）の中央部３３４ａが幅方向の少なくとも一端部よりも上方に位置する。本実施形態では、左右両端にアール部３３４ｂが形成されて脱落防止部３３４が構成されている。この構成によると、ホルダー係止部３の棚板Ｂへの装着状態において、フック部３３の棚板Ｂに対する隙間Ｓが幅方向の中央部において狭く、幅方向の少なくとも一端部で広くなる。
【００６８】
ホルダー２をフック部３３に取り付ける際、隙間Ｓに前方からホルダー２を差し込むことも可能ではあるが、脱落防止部３３４の左右両端での、隙間Ｓのうち広い部分からホルダー２をフック部３３と棚板Ｂとの隙間Ｓに差し込む方が、ホルダー２をフック部３３に取り付けやすい。一方、脱落防止部３３４は、棚板Ｂに対する隙間Ｓが幅方向の中央部３３４ａにおいて狭い形状であることから、隙間Ｓを通ってホルダー２がフック部３３から脱落することを有効に抑制できる。
【００６９】
脱落防止部３３４の、幅方向の中央部３３４ａにおける棚板Ｂとの距離は、ホルダー２の孔部２２周りの厚み寸法よりも大きく、かつ、前記ホルダー２の上端縁から前記孔部２２までの距離よりも小さい。このため、ホルダー２を略水平にすることにより容易にフック部３３に取り付けることができ、一方、図５及び図６に示す、ホルダー２が吊り下げられた状態ではフック部３３から脱落しにくくなっている。
【００７０】
つまみ部３４は、前記当接部３１１の後端において下方に延びる部分である。このつまみ部３４とフック部３３とを、両者が近づくように指先でつまむことにより、湾曲部３１２が図３（Ａ）に示すような状態からさらに上下方向に圧縮されて変形する。これにより、係合爪３１３の上方延設部Ｂ１２に対する係合が解除されるため、棚板Ｂに対してホルダー係止部３を簡単に着脱（特に取り外し）できる。
【００７１】
以上のように構成された薬剤情報表示体によると、ホルダー２が、棚板Ｂに係合したホルダー係止部３により係止される。このため、薬剤ケースＣを引き出してもホルダー２は薬剤ケースＣとともに前後方向に移動しない。従って、薬剤ケースＣの保持状態では図７（Ａ）に示すように、ホルダー２が薬剤ケースＣの薬剤包装体が収納される領域（薬剤収納領域）Ｃｓの前方に位置し、同引き出し状態では図７（Ｂ）に示すように、薬剤ケースＣの薬剤包装体が収納される領域Ｃｓの上方に位置する。このように、薬剤収納棚Ａにおいて薬剤ケースＣの引き出し状態がどの状態であっても、薬剤ケースＣや薬剤ケースＣにおける収納物の近傍、つまり、薬剤を取り出す際における薬剤師の視線上にホルダー２を位置させることができる。表現を変えると、薬剤師等から見て言わば「邪魔な位置」にホルダー２を位置させている。このように「邪魔な位置」にホルダー２が位置すると、薬剤師等の視線は必然的にホルダー２に保持された表示部材４に向かうこととなる。よって、薬剤ケースＣに表示をした構成と比べ、表示部材４が薬剤師等の視線から外れてしまいにくいので、表示部材４に表示された薬剤に関する情報を薬剤師等に対し、確実に報知できる。
【００７２】
以上、本考案の一実施形態について説明したが、本考案は前記実施形態に限定されるものではなく、本考案の要旨を逸脱しない範囲内において種々の変更を加えることができる。
【００７３】
例えば、前記実施形態では、ホルダー２を吊り下げにより係止するよう構成されていたが、例えば変曲可能な関節部（ヒンジ部材等）によりホルダー２とホルダー係止部３とを連結することもでき、ホルダー２の係止態様は種々に変更可能である。
【００７４】
また、ホルダー係止部３は硬質合成樹脂等から一体形成されていたが、複数パーツが組み合わされて構成されることもできる。この場合、各パーツが別々の材質で構成されることもできる。
【００７５】
また、係止担当部または表示部材保持部の一部である、前記実施形態における略Ｕ字状部分３３３の形状は略Ｕ字状だけに限定されるものではなく、ホルダー２を係止したり表示部材を保持したりする機能を奏する形状であれば種々の形状とできる。
【００７６】
また、前記実施形態は、ホルダー２とホルダー係止部（薬剤情報表示用フック）３とを備える薬剤情報表示体１であったが、例えば棚板と薬剤情報表示用フックとを備えた薬剤情報表示機構とし、調剤薬局等において薬剤情報表示用フックにホルダー２を用いずに合成樹脂板からなる表示部材４を直接取り付けることもできる。
【符号の説明】
【００７７】
１          薬剤情報表示体
２          ホルダー
２２        孔部
３          ホルダー係止部
３１        棚板係合部
３１１      当接部
３１２      湾曲部
３１３      係合爪
３３        係止担当部、表示部材保持部、フック部
３３１      前端部
３３２      後端部
３３３      略Ｕ字状部分
３３４      脱落防止部
３４        つまみ部
４          表示部材
Ａ          薬剤収納棚
Ｂ          棚板
Ｂ１        折り返し部
Ｂ１１      前方延設部
Ｂ１２      上方延設部
Ｂ２        前端領域
Ｃ          薬剤ケース
Ｃｓ        薬剤収納領域、薬剤包装体が収納される領域
【図１】
0003202362.tif 000003
【図２】
0003202362.tif 000004
【図３】
0003202362.tif 000005
【図５】
0003202362.tif 000006
【図６】
0003202362.tif 000007
【図４】
0003202362.tif 000008
【図７】
0003202362.tif 000009